【事件の表示】
　商願２００１−　４６８２２拒絶査定不服審判事件について、次のとおり審決する。
【結　論】
　本件審判の請求は、成り立たない。
【理　由】
１　本願商標
　本願商標は、「ｅ−ｐａｃｈｉｓｌｏ」の欧文字と「イーパチスロ」の片仮名文字を上下二段に横書きにしてなり、第９類、第３８類、第４１類及び第４２類に属する願書記載のとおりの商品及び役務を指定商品及び指定役務として、平成１３年５月２４日に登録出願され、その後、指定商品及び指定役務については、原審における同１４年９月１７日付け手続補正書をもって、第９類「コンピュータネットワークを通じて提供されるコンピュータプログラム（ダウンロード可能なもの），電子応用機械器具及びその部品，電気通信機械器具」、第３８類「移動体電話による通信，テレックスによる通信，電子計算機端末による通信，電報による通信，電話による通信，ファクシミリによる通信，無線呼出し」、第４１類「通信を用いて行うゲームの提供，通信を用いて行うゲームの提供に関する情報の提供」及び第４２類「コンピュータゲーム用のプログラムその他のコンピュータプログラムの企画・立案・開発・設計・作成又は保守」と補正されたものである。
　
２　原査定の拒絶の理由
　原査定は、「本願商標は、その構成中の『ｅ』及びその表音表記である『イー』の文字が、『Ｅｌｅｃｔｒｏｎｉｃ』の略として『ｅ−Ｍａｉｌ、ｅ−Ｂｕｓｉｎｅｓｓ、ｅ−ｃｏｍｍｅｒｃｅ、ｅ−ｓｈｏｐｐｉｎｇ』のように、インターネット上の取引形態を示すものとして使用されているものであり、また、その構成中の『ｐａｃｈｉｓｌｏ』及びその表音表記である『パチスロ』の文字が、遊戯（ゲーム）であって、近年、電子計算機端末等で提供されるさまざまなゲームが存在することからすれば、これをその指定商品・役務中『コンピュータネットワークを通じて提供されるコンピュータプログラム（ダウンロード可能なもの），電子応用機械器具及びその部品，通信を用いて行うゲームの提供，通信を用いて行うゲームの提供に関する情報の提供，コンピュータゲーム及び同プログラムの設計・作成又は保守』に使用するときは『コンピュータネットワークを通じて提供されるパチスロ（ゲーム）を内容とするコンピュータプログラム（ダウンロード可能なもの）等の商品，通信を用いて行うパチスロゲームの提供，通信を用いて行うパチスロゲームの提供に関する情報の提供，パチスロ（ゲーム）を内容とするコンピュータゲーム及び同プログラムの設計・作成又は保守』を認識させるにとどまるものであり、単に商品の品質・内容及び役務の質・内容を表示するにすぎないものであって、自他商品・役務の識別標識としての機能を有さないものといわざるを得ない。したがって、本願商標は、商標法第３条第１項第３号に該当し、前記商品・役務以外の商品・役務に使用するときは、商品の品質及び役務の質の誤認を生じさせるおそれがあるので、商標法第４条第１項第１６号に該当する。」旨認定、判断し、本願を拒絶したものである。
　
３　当審の判断
（１）本願商標は、前記のとおり、「ｅ−ｐａｃｈｉｓｌｏ」の欧文字と「イーパチスロ」の片仮名文字を上下二段に横書きにしてなるところ、その構成中の語頭に位置する「ｅ」及び「イー」の文字は、「電子の、インターネットの」の意を表す語である「ｅｌｅｃｔｒｏｎｉｃ」の略語として、例えば、電子商取引を「イーコマース（ｅ−ｃｏｍｍｅｒｃｅ）」、電子商取引市場や仮想市場を「イーマーケットプレイス（ｅ−ｍａｒｋｅｔｐｌａｃｅ）」、電子マネーを「イーマネー（ｅ−ｍｏｎｅｙ）」、電子メールを「イーメール（ｅ−ｍａｉｌ）」、電子出版物を「イーブック（ｅ−ｂｏｏｋ）」、インターネットを用いて行う教育・学習方法を「イーラーニング（ｅ−ｌｅａｒｎｉｎｇ）」のように用いられており（「朝日現代用語　知恵蔵２００４」（発行所：朝日新聞社）、「ｉｍｉｄａｓ２００４」（発行所：株式会社集英社）、「現代用語の基礎知識２００４」（発行所：株式会社自由国民社）等）、今や電子取引という取引形態（取引方法）を表すものとして一般に広く使用されているのが実情である。
（２）また、同じく、その構成中の「ｐａｃｈｉｓｌｏ」及び「パチスロ」の文字は、本来、いわゆるパチンコ店やパチスロ専門店において回胴式遊技機（パチンコ型スロットマシン）を用いて行う遊技として一般に広く知られているものであるが、近年、インターネット等の通信ネットワークを利用した電子商取引の普及に伴い、パチスロ等の遊技の分野においてもインターネット等の通信ネットワークを利用したビジネスが積極的に展開されている傾向にあることは、例えば、以下の（ア）ないし（コ）に示すインターネットのホームページ情報及び新聞情報からも十分に裏付けられるところである。
　なお、これらのホームページ情報及び新聞記事情報は、商標法第５６条第１項で準用する特許法第１５０条第５項の規定により、既に、平成１７年２月７日付け証拠調べ通知書をもって、請求人に通知したものである。
（ア）平成１０年（１９９８年）９月３０日付けスポーツ報知新聞（１６頁）には、「［ゲーム］祭典『東京ゲームショウ９８秋』開催　新作『ＦＦ８』『ドラクエ７』」の見出しの下、「◇東京ゲームショウ’９８秋のおもな出展タイトル◇　サミー　実戦パチスロ必勝法！７　最新機種など６機種を搭載。初心者モードもある。」との記載がある。
（イ）平成１２年（２０００年）８月２日付けスポーツ報知新聞（２０頁）には、「ゲーム　パチンコゲーム『Ｖパチ』で我が家で勝負　ネットで豪華景品ゲット」の見出しの下、「ドリームキャスト（ＤＣ）用ネット対応パチンコゲーム『ネッパチ』シリーズを発売しているダイコク電機が１日、事業拡大を発表した。インターネット上で景品が当たる同社のネットサービス『＠ＶＰＡＣＨＩ』（Ｖパチ）に、ソフトメーカー３社が参加。新たにパチンコ・パチスロ実機シミュレーションで遊べるネット対応ソフトを相次ぎ発売。ビッグなバーチャルホールを築こうとしている。ダイコク電機のＶパチは、パチンコソフトのネッパチ・シリーズ専用のサービス。プレーヤーがＶパチにアクセスしてゲームを遊ぶと、大当たりの連チャン回数に応じて、最高なら『ラスベガス旅行』なんて豪華景品をくれる。しかもネット上ながら釘（くぎ）調整が違う数十台を用意。打つ台の選択も可能と、その勝負は本物さながらだ。同社はこのバーチャルホールをさらに巨大なホールに変身させようと動き始めた。プレイステーション用にパチンコ・パチスロ実機シミュレーションを発売しているソフトメーカー他社が、Ｖパチに参加することになったのだ。『実戦パチスロ必勝法』シリーズを展開しているマックスベット、『パチってちょんまげ』シリーズのハックベリー、『パチスロ帝王』シリーズのメディアエンターテイメントの３社が今後、Ｖパチ対応のパチンコ・パチスロＤＣ用ソフトを発売していく。（中略）しかもマックスベットはサミー、ハックベリーは京楽と、それぞれ本物の遊技台を製造している実機メーカーの関連会社というから見逃せない。『当社も含め各社とも、新機種がホール市場に出てから日を置かずにゲームでもリリースする予定』とダイコク電機アミューズメントネットワーク部の栢森（かやもり）秀幸部長。あらゆる最新パチンコ・パチスロがネット上でも勝負できるようになる。（後略）」との記載がある。
（ウ）平成１２年（２０００年）１０月１２日付け朝日新聞（大阪夕刊３頁）には、「父さんもするゲーム（週刊Ｙｏｕ・ｍｅジャーナル）【大阪】」の見出しの下、「子供のころにかえって、田舎の夏休みを絵日記風に楽しめる“癒（いや）し系”ゲームソフト『ぼくのなつやすみ』が、お父さんたちの人気を集めている。ゴルフ、釣り、マージャンといった趣味、電車の運転手やパイロットを疑似体験できるゲームも三十代以上の世代でヒット中だ。業界は『二十一世紀のターゲットは中高年』と大人向け新作ソフトの開発に熱が入る。（中略）大阪市北区の阪急三番街のがん具・雑貨店キデイランドでも、これまで、ゲームをしたことがないような人が、ゲーム機と共に買っていったという。同店で、運転手を疑似体験する『電車でＧＯ！』を探していた川西市の会社員（三五）は『寝る前や土、日に二時間ぐらいします。ゴルフやパチスロ、敵を倒していく対戦型のものとか。この野郎！ってストレス発散にしています。』。（後略）」との記載がある。
（エ）平成１２年（２０００年）１０月２８日付け朝日新聞（東京夕刊６頁）には、「携帯型ゲーム端末、遊び方さまざま・・・　据え置き機と遊び共有」の見出しの下、「携帯型ゲーム端末に新しい遊び方が増えてきました。携帯電話とつないでインターネットに接続したり、ゲーム内容を家庭用・業務用端末と連動させたりするなど『ネットワーク化』が進み、子供だけでなく大人も楽しめる要素が盛り込まれてきています。『いつでもどこでも楽しめる』というコンセプトで生まれ、今や、世界各地で人気を集めている携帯型ゲーム端末の最近の動きを探りました。（中略）これまで格闘技系ソフトが主流だった『ネオジオポケットカラー』を扱うＳＮＫ（本社・東京）は、今後、業務用ゲーム機との連携を強化していく考えだ。同社は今年二月、パチスロの企画・開発会社の傘下に入った。これを受けて八月、パチスロホールの『新台入荷』と同時に、そのシミュレーション用ゲームソフトを売り出した。『ゲーム機で練習を積んでホールでの本番に挑んでもらう』（経営企画室）という狙いだ。（後略）」との記載がある。
（オ）平成１４年（２００２年）７月１２日付け日本工業新聞（７頁）には、「サミー　“パチ”キャラ画像配信　ａｕ携帯向けサイト」の見出しの下、「サミー（社長・里見治氏）はａｕの携帯電話インターネット接続サービス向けサイト『サミーＥＺタウン』の配信を開始した。実機で大人気を得た『アラジンＡ』のアプリケーションがダウンロードできるほか、同社のパチスロ・パチンコキャラクターなどの待ち受け画像、サウンドの着メロ、実機のプロモーションビデオの動画、占いなどのコンテンツ（情報の内容）を提供する。総合エンターテインメント企業として展開する計画、『ＮＥＷＳ（ニュー・エンタテインメント・ワールド・オブ・サミー）』の一環で、コンテンツの活用、創造によるサービス拡充を目指す。すでにｉモード公式サイト『サミー７７７タウン』、Ｊ−スカイ向け『サミーパチ☆スロタウン』を展開、両サイトで累計登録者が四十万人を超えている。」との記載がある。
（カ）平成１６年１１月２６日付け朝日新聞（東京朝刊１２頁）には、「『ドラクエ８』あす発売　ゲーム開発、効率化急務」の見出しの下、「人気ゲームソフト、ドラゴンクエスト（ドラクエ）シリーズの『ドラクエ８』（プレイステーション２用）が２７日発売される。４年ぶりの新作で、今年最大のヒット作になるのは確実だ。（中略）サミーが自社製のパチスロ機をプレイステーション２向けに移植して今春発売した『北斗の拳』。（後略）」との記載がある。
（キ）「Ｈａｎｇａｍｅ」のホームページ（http://www.hangame.co.jp/）中の「パチスロ」の項目には、「パチンコあるならパチスロも！パチンコとは違った面白さがあるパチスロもネットゲームになって登場です。」との記載がある。
（ク）「ＩＴｍｅｄｉａ」のホームページ中の「モバイル」の項目（http://www.itmedia.co.jp/mobile/articles/0412/17/news088.html）中には、「テクモとネットはパチスロ機に関する携帯電話向けコンテンツを共同開発し、12月20日からiモード向けサイト『NET-FUNモバイル』を提供する。月額利用料金は315円。スーパーブラックジャック、十字架など人気のパチスロ機種をアプリで再現して提供。ほかにもオリジナルキャラクター、Rioやセーラなどのiモーション、Flash動画、着信ボイス、着信メロディを配信する。対応機種は505i/506iシリーズ、FOMA 900i/901iシリーズ。」との記載がある。
（ケ）「必勝パチスロコレクション」のホームページ中の「ゲームをする上での注意事項」の項目（http://takarajima.broadband.ocn.ne.jp/slot/cyui.html）には、「『必勝パチスロコレクション』で用意しているゲームは全てZIP若しくはLZHで圧縮しております。ゲームをダウンロードする前に、まずこの下に用意している圧縮解凍ツールをダウンロードしておいて下さい。」との記載がある。
（コ）「パチンコ・スロット・検索エンジンmotto-search」のホームページ（http://motto.kiy.jp/motto-search/page/07_11_01.html）中の「オンラインパチンコ・パチスロの大東亜ビルヂング」の項目には、「インターネットでパチンコ・パチスロゲームが遊べます。稼いだポイント（玉・コイン）は人気の商品と交換できます。」との記載がある。
（３）そこで、本願商標が商標法第３条第１項第３号及び同法第４条第１項第１６号に該当するか否かについて検討するに、前記（１）において述べた取引、とりわけ電子取引に関する「ｅ」及び「イー」の文字の使用の実情並びに前記（２）の（ア）ないし（コ）に示した各事実を総合的に勘案するならば、本願商標「ｅ−ｐａｃｈｉｓｌｏ」及び「イーパチスロ」の文字は、「インターネット等の通信ネットワークを利用したパチスロ」といった意味合いを容易に看取、認識し得るものであり、これを本願の前記補正後の指定商品及び指定役務中、例えば、「コンピュータネットワークを通じて提供されるパチスロを内容とするコンピュータプログラム（ダウンロード可能なもの）」や「通信を用いて行うパチスロを内容とするゲームの提供，通信を用いて行うパチスロを内容とするゲームの提供に関する情報の提供，パチスロを内容とするコンピュータゲーム用のプログラムの企画・立案・開発・設計・作成又は保守」等、該意味合いに照応する商品又は役務に使用した場合、これに接する取引者、需要者は、製造若しくは販売に係る商品又は提供に係る役務がパチスロを内容とするものであること、すなわち、該商品の品質又は該役務の質（内容）を表示したものとして認識するに止まり、自他商品又は自他役務の識別標識としての機能を果たし得ないものというのが相当である。
　してみれば、本願商標は、商標法第３条第１項第３号に該当するものとすべきであり、また、これを、その指定商品及び指定役務中、パチスロを内容とする商品又は役務以外の商品又は役務に使用するときは、商品の品質又は役務の質（内容）について誤認を生じさせるおそれがあるから、商標法第４条第１項第１６号に該当するものといわざるを得ない。
　したがって、本願商標が商標法第３条第１項第３号及び同法第４条第１項第１６号に該当するとして本願を拒絶した原査定は、妥当であって、取り消すことはできない。
　なお、請求人は、本願商標が具体的な商品の品質又は役務の質、内容を表したものとして認識されることはなく、また、「ｅ−ｐａｃｈｉｓｌｏ」及び「イーパチスロ」の文字が品質表示として使用されていないことから、本願商標には独占適応性があること並びに、前記（２）の証拠調べ通知書に対する平成１７年３月１７日付け意見書において、該通知書に示された新聞記事等には「ｅ−ｐａｃｈｉｓｌｏ」及び「イーパチスロ」のいずれの語も使用されておらず、このことは、本願商標に独占適応性があることを裏付けるものであることから、本願は登録されるべきである旨主張しているが、商標法第３条第１項第３号の品質（質）の表示に該当するというには、我が国の取引者、需要者が品質（質）を表示するものとして認識するものであれば足りるといえるものであり、実際に品質（質）を表示するものとして使用されていることまでは必要としないと解される（例えば、平成１２年（行ケ）第７６号　東京高裁平成１２年９月４日判決言渡　参照）ところ、本願商標「ｅ−ｐａｃｈｉｓｌｏ」及び「イーパチスロ」については、前記のとおり、取引者、需要者をして、商品の品質又は役務の質（内容）を表示したものとして認識するに止まるものであるから、該請求人の主張は、採用することができない。
　よって、結論のとおり審決する。